(57)【要約】【課題】  照明手段を点灯することにより排出原稿積載手段に原稿があることをユーザに通知するとともに、照明手段の照明によってユーザーがまずしくなることを低減する。【解決手段】  排出原稿積載手段に向けて照明する照明手段を有する自動原稿搬送部と、自動原稿搬送部の原稿搬送手段によって搬送された原稿を読み取る読取部とを有し、原稿積載手段に積載されている原稿の読み取り開始の指示を受けた後に原稿有無検知手段が原稿有りを検知した場合に照明手段を点灯させ、開閉状態検知手段の検知結果が自動原稿搬送部が開いていることを検知した場合は照明手段の光量が下がるように照明手段の状態を制御する制御手段とを有する。【選択図】  図３
2013106109.tif 000002
【特許請求の範囲】
【請求項１】
原稿を積載する原稿積載手段と、前記原稿積載手段に積載された原稿を搬送する原稿搬送手段と、前記原稿搬送手段により排出された原稿を積載する排出原稿積載手段と、前記排出原稿積載手段の原稿の有無を検知する原稿有無検知手段と、前記排出原稿積載手段に向けて照明する照明手段とを有する自動原稿搬送部と、
前記自動原稿搬送部の原稿搬送手段によって搬送された原稿を読み取る読取部と、
前記自動原稿搬送部の開閉状態を検知する開閉状態検知手段と、
前記原稿積載手段に積載されている原稿の読み取り開始の指示を受けた後に前記原稿有無検知手段が原稿有りを検知した場合に前記照明手段を点灯させ、前記開閉状態検知手段の検知結果が前記自動原稿搬送部が開いていることを検知した場合は前記照明手段の光量が下がるように前記照明手段の状態を制御する制御手段とを有することを特徴とする原稿読取装置。
【請求項２】
前記制御手段は、
前記原稿積載手段に積載されている原稿の読み取り終了後に、前記原稿有無検知手段が原稿無しを検知した場合に、前記照明手段を消灯させ、
前記開閉状態検知手段の検知結果が前記自動原稿搬送部が開いていることを検知した場合は、前記照明手段を消灯させる
ことを特徴とする請求項１記載の原稿読取装置。
【請求項３】
前記開閉状態検知手段が前記自動原稿搬送部が開いていることを検知した場合は、前記原稿搬手段は前記原稿積載手段に積載された原稿を搬送しないことを特徴とする請求項１または２に記載の原稿読取装置。
【請求項４】
前記制御手段は、
前記原稿積載手段に積載されている原稿の読み取り開始の指示を受けた後に、前記原稿有無検知手段が原稿有りを検知した場合に、前記照明手段を点灯させ、
前記原稿積載手段に積載されている原稿の読み取り終了後に、前記原稿有無検知手段が原稿無しを検知した場合に、前記照明手段を消灯させ、
前記開閉状態検知手段の検知結果が前記自動原稿搬送部が開いていることを検知した場合は、前記照明手段の光量を下げさせる
ことを特徴とする請求項１記載の原稿読取装置。
【発明の詳細な説明】
【技術分野】
【０００１】
本発明は、自動原稿搬送部を有する原稿読取装置に関する。
【背景技術】
【０００２】
複写機やファクシミリ等のように、原稿の読み取り部と用紙への画像形成部の双方を備える画像形成装置においては、画像形成部の上に一定の空間を設けて読み取り部を配置することで、画像形成部にて画像形成された用紙を画像形成部の上部に排紙積載することを可能にしている。
【０００３】
このような配置にすることで装置の前後左右での用紙の排紙積載スペースを不要として、装置の占有スペースの小型化を実現しているが、排紙積載スペースが装置内部となる為暗くなって用紙の有無が分かりにくくなってしまう。その為、特許文献１にあるように排紙積載スペースに照明を設ける技術が提案されている。
【先行技術文献】
【特許文献】
【０００４】
【特許文献１】特開平８−３３９１０７号公報
【発明の概要】
【発明が解決しようとする課題】
【０００５】
原稿の読み取りにおいて、自動原稿搬送装置では、給紙トレイに積載された原稿を画像読み取りセンサ部を経由して排紙トレイに搬送することで、連続して原稿を読み取ることを可能にしている。この時、給紙トレイへの原稿のセットの容易性から給紙トレイが上側、排紙トレイが下側に配置されることが多い。よって、自動原稿搬送装置においても排紙トレイが暗くなって排紙トレイに積載された原稿の取り忘れが想定される。
【０００６】
特許文献１のように自動原稿搬送装置に対して照明を設けると、自動原稿搬送装置はユーザーの視線に近く、かつ自動原稿搬送装置の上げ下げや積載トレイの上げ下げなど可動範囲が大きい為、照射光がユーザーの目に直接入ってまぶしくなりやすくなる。照射光の光量が少なければまぶしくならないが、その代わり照明がついてもユーザーは点灯に気付きにくくなる。
【０００７】
本発明では、排紙トレイへの原稿積載を通知する為の照明を設ける際の上記課題を解決し、ユーザーにとって不快な事象の可能性を減らして利便性を高めた原稿読取装置を提供することを目的とする。
【課題を解決するための手段】
【０００８】
上記目的を達成するために本発明の原稿読取装置は、原稿を積載する原稿積載手段と、前記原稿積載手段に積載された原稿を搬送する原稿搬送手段と、前記原稿搬送手段により排出された原稿を積載する排出原稿積載手段と、前記排出原稿積載手段の原稿の有無を検知する原稿有無検知手段と、前記排出原稿積載手段に向けて照明する照明手段とを有する自動原稿搬送部と、前記自動原稿搬送部の原稿搬送手段によって搬送された原稿を読み取る読取部と、前記自動原稿搬送部の開閉状態を検知する開閉状態検知手段と、前記原稿積載手段に積載されている原稿の読み取り開始の指示を受けた後に前記原稿有無検知手段が原稿有りを検知した場合に前記照明手段を点灯させ、前記開閉状態検知手段の検知結果が前記自動原稿搬送部が開いていることを検知した場合は前記照明手段の光量が下がるように前記照明手段の状態を制御する制御手段とを有することを特徴とする。
【発明の効果】
【０００９】
本発明によれば、照明手段を点灯することにより排出原稿積載手段に原稿があることをユーザに通知することができるとともに、照明手段の照明によってユーザーがまずしくなることを低減することがきる。
【図面の簡単な説明】
【００１０】
【図１】第一の実施形態のＡＤＦとリーダを模式的に示す断面図
【図２】原稿読み取りシステムの機能ブロック図
【図３】ＡＤＦを上げた時の概略図
【図４】排紙ＬＥＤによって排紙トレイを照らす説明図
【図５】ＡＤＦを上げた時、排紙ＬＥＤからの光が視界に入る説明図
【図６】第一の実施形態の原稿読み込みにおける排紙ＬＥＤに関する制御フロー図
【図７】第二の実施形態のＡＤＦとリーダを模式的に示す断面図
【図８】原稿積載トレイを上げた時に排紙ＬＥＤから光が視界に入る説明図
【図９】第二の実施形態の原稿読み込みにおける排紙ＬＥＤに関する制御フロー図
【発明を実施するための形態】
【００１１】
（第一の実施形態）
図１はＡＤＦ（自動原稿給紙部）２０及びリーダ１００（画像読取部）を模式的に示す断面図である。図１は、原稿束Ｓが原稿トレイ（原稿積載部）１０にセットされた直後の状態を示している。図３はＡＤＦ２０を開けた（上げた）状態の画像読取システムの概観図である。
【００１２】
本実施形態の画像読取システムは、図１に示すように、リーダ１００、ＡＤＦ２０及びコントローラ部（図１では不図示）から構成されている。そして、図３に示すように、画像読取システムにおける奥側においてＡＤＦ２０とリーダ１００とはヒンジによって接続され、ヒンジを中心点としてＡＤＦ２０を画像読取ユニット１００に対して上下方向に開閉可能である。
【００１３】
画像読取システムは、画像形成部と接続されて画像形成システムを構成する。画像形成システムは、画像読取システムが読み込んだ原稿の画像のコピーを画像形成部２５６を用いて作成することができる。
【００１４】
画像読取システムは、原稿を読み取るモードとして、原稿固定読みガラス１０２に載置された原稿を読み取る原稿固定読みモードと、原稿トレイ１０から排出トレイ１５に原稿を搬送しながら原稿を読み取る流し読みモードとを有する。固定読みモードの場合は、表面スキャナユニット１０６を移動させながら原稿固定読みガラス１０２に載置された原稿を読み取る。流し読みモードの場合は、表面スキャナユニット１０６を流し読みガラス１０１の下に固定させ、原稿トレイ１０から搬送された原稿が流し読みガラス１０１を通過する際に表面スキャナユニット１０６が原稿を読み取る。また、自動原稿給紙ユニットが裏面スキャナユニット１７を保持しているので、搬送されている原稿の表面の画像および裏面の画像を同時に読み取ることができる。
【００１５】
本実施形態のＡＤＦは、排紙トレイ（排出原稿積載部）１５における原稿の取り忘れを防止するために、排紙トレイ１５に原稿が積載されていることをユーザに通知する。以下、原稿が排紙トレイに排出されるモードである、ＡＤＦを用いた原稿を読み取る流し読みモードにおける制御について主に説明する。
【００１６】
表面スキャナ１０６を用いて原稿の片面のみを読み取る片面流し読みモードにおける画像読取システムの動作の概略を説明する。
【００１７】
表面スキャナユニット１０６はＬＥＤ１０３、レンズ群１０４、イメージセンサ１０５が一体になって構成されている。ＬＥＤ１０３から光は上側に照射される。照射された光の反射光がレンズ群１０４を経由してイメージセンサ１０５に受光され、イメージセンサ１０５は受光量に応じた画像データを出力する。
【００１８】
ＡＤＦを使用した片面原稿読取ジョブが指示されると、最初にＡＤＦ開閉検知センサ３０１（図３）の検知結果からＡＤＦ２０からの原稿読取ジョブが実行可能か否か判断する。ＡＤＦ開閉検知センサ３０１は、リーダ１００の上面部の奥側に取り付けられ、ＡＤＦ２０が閉じられるとスイッチが押されることによりＡＤＦが閉じられることを検知し、ＡＤＦ２０が開けられるとスイッチが立ち上がってＡＤＦが開けられることを検知する。
【００１９】
図３のようにＡＤＦ２０が上側に上げられていると原稿を正しく搬送出来ない為、ＡＤＦ開閉検知センサ３０１の検知結果がＡＤＦ２０が開けられていることを示す場合は、原稿読み取りジョブを行わない。
【００２０】
ＡＤＦ開閉検知センサ３０１の検知結果がＡＤＦ２０が閉じられていることを示す場合は、原稿読取ジョブを行うためにスキャナユニットの起動準備を開始する。表面スキャナユニット１０６が基準白色板１０７直下の位置まで移動し、シェーディングが実施される。シェーディングは、ＬＥＤ１０３をＯＦＦした状態（真っ黒）でのイメージセンサ１０５からの出力値と、ＬＥＤ１０３をＯＮした状態（真っ白）でのイメージセンサ１０５からの出力値とを用いて原稿画像読み取り時の読取レベルの正規化する処理である。シェーディング終了後、表面スキャナユニット１０６は原稿流し読みガラス１０１直下の位置まで移動し、搬送される原稿が読み取り位置に到達するまで待機する。
【００２１】
表面スキャナユニット１０６の準備が終了し、ＡＤＦからの原稿給紙が可能になると、原稿束Ｓの原稿面に給紙ローラ１が落下し回転する。これにより、原稿束の最上面の原稿が給紙される。分離ローラ２と分離パッド８は、１枚以上の原稿シートで構成される原稿束Ｓを積載する原稿トレイ１０から最上面の原稿を１枚ずつ給紙搬送する際に、最上面の１枚の原稿以外の原稿が重送されることを規制する
分離ローラ２と分離パッド８によって分離された原稿は、分離後ローラ３のニップ圧により分離後ローラ３時点の搬送速度に加速され、搬送される。原稿が分離後ローラ３に到達するまでは、原稿を分離ローラ２でしか挟持出来ていない為、原稿と分離パッドとの摩擦により応じた速度で搬送されている。
【００２２】
分離後ローラ３の下流側には原稿読取前ローラ４がある。原稿読取前ローラ４により原稿は原稿流し読みガラス１０１方向へ搬送される。
【００２３】
給紙パスに送られた原稿は、原稿読取ローラ５の近傍にある原稿流し読みガラス１０１の原稿読取位置まで送られる。なお、原稿流し読みガラス１０１の原稿読取位置に搬送される際に、原稿読取先端位置を検知するため、リードセンサ１４により原稿先端を検知する。リードセンサ１４は原稿の有無を検知するセンサである。リードセンサ１４の検知結果が原稿無しから原稿有りに変化したタイミングが原稿先端を検知したタイミングとなり、検知結果が原稿有りから原稿無しに変化したタイミングが原稿後端を検知したタイミングとなる。
【００２４】
リードセンサ１４が原稿先端を検知したタイミングから、原稿読取ローラ５の駆動源となる搬送モータ（図示せず）の駆動クロックの計数を開始する。本実施形態では、分離後ロータ３、原稿読取前ローラ４および原稿読取ローラ５は同一の搬送モータにて駆動されている。駆動クロック１つあたりの原稿読取ローラ５の回転量は同じである。リードセンサ１４が原稿先端を検知したタイミングからの駆動クロック数を用いて原稿先端の位置を推測することができる。よって、原稿先端を検知したタイミングからの駆動クロック数が原稿流し読みガラス１０１の原稿読み取り位置に対応した所定値に達したタイミングで表面スキャナユニット１０６による原稿の画像取り込みを開始させる。
【００２５】
原稿流し読みガラス１０１の原稿読み取り位置を通過した原稿は、基準白色板１０７の上側にある小さなジャンプ台を通過し原稿読取後ローラ６のニップに突入する。その後、リードセンサ１４が原稿後端を検知したタイミングからの駆動クロック数が所定値に達したタイミング（すなわち、原稿後端が原稿読み取り位置を通過したタイミング）で、表面スキャナユニット１０６による原稿の画像取り込みを終了させる。さらに原稿後端が排紙ローラ７を通過して排紙トレイ１５に排出されてから、原稿後端が排紙ローラ７に引っ掛からないように余分に排紙ローラ７を回転させた時点で片面原稿読取シーケンスを終了させる。
【００２６】
排紙トレイ１５には、排紙トレイ１５における原稿の有無を検知する排紙原稿検知センサ１６が設置されている。ＡＤＦを用いた原稿読取シーケンスにおいて、排紙原稿検知センサ１６にて原稿が検知された場合は、排紙照明ＬＥＤ９を点灯し、原稿トレイ１０の影により暗くなっている排紙トレイ１５の手前上面を照らす。そして、原稿読取シーケンスが終了後に排紙原稿検知センサ１６が原稿を検知しなくなったことに応じて排紙照明ＬＥＤ９を消灯する。このように、本実施形態によれば排紙照明ＬＥＤ９を排紙トレイにむけて照明することにより、ユーザに排紙トレイ１５に原稿が有ることを通知することができ、ユーザが排紙トレイ１５から原稿を取り忘れることを抑制することができる。
【００２７】
指定された読み取りジョブがＡＤＦを使用した両面読み取りであった場合には、表面スキャナユニット１０６と同様に裏面スキャナユニット１７を動作させることで搬送中の原稿の裏面も読み取ることが出来る。裏面スキャナユニット１７は表面スキャナユニット１０６とほぼ同一構成である為、説明を割愛する。
【００２８】
図２は本実施形態の画像形成システムの機能構成図である。
読取用ＣＰＵ２０１は、読取用ＲＡＭ２０２を作業領域として使用して、読取用ＲＯＭ２０３に格納されているプログラムに基づき、リーダ１００、ＡＤＦ２０を制御し、画像読取システムの動作を統合して制御する。また、読取用ＣＰＵ２０１はＡＤＦ開閉検知センサ３０１の検出結果を参照し、ＡＤＦ２０からの原稿読み取りジョブの実行可否を判断する。読取用ＲＡＭ２０２は、画像処理部２０７がシェーディング等の処理を行うために画像データの蓄積や画像読み込み部２０６にて読み込んだ画像データをコントローラに送信するまでの蓄積といった一時格納領域としても使用される。
【００２９】
原稿搬送部２０４は、ＡＤＦ２０に載置された原稿を表面スキャナユニット１０６の画像読み込み位置までの搬送やその後の排出を制御するするために、各種ローラを駆動する搬送モータやリードセンサ１４などを制御する。スキャナユニット駆動部２０５は、表面スキャナユニット１０６の移動を制御する。たとえば、表面スキャナユニット１０６をジョブの内容に応じて原稿流し読みガラス１０１、基準白色板１０７、原稿固定読みガラス１０２の直下に移動させている。
【００３０】
画像読み込み部２０６は表面スキャナユニット１０６及び裏面スキャナユニット１７に含まれるＬＥＤ１０３およびイメージセンサ１０５を制御し、指示された動作モードによる画像の読み込みを実現する。
【００３１】
画像処理部２０７は、コントローラが画像データを正しく受け取れるように画像データの並び替えや画像読み込み部２０６で読み込んだ不要な画像領域の画像データの消去、表面スキャナユニット１０６及び裏面スキャナユニット１７のそれぞれで読み込んだ画像データの交互転送の準備等を行っている。そして、画像処理部２０７によって処理された画像データは、コントローラ通信部２０８によってコントローラに転送される。排紙ＬＥＤ制御部２０９は、排紙ＬＥＤ９の点灯を制御する。
【００３２】
コントローラ用ＣＰＵ２５１は、コントローラ用ＲＡＭ２５２を作業領域として使用して、コントローラ用ＲＯＭ２５３に格納されている情報に基づき、画像読取システムを含む画像形成システム全体の様々な制御を行う。
【００３３】
コントローラ用ＲＡＭ２５２は、不揮発領域である画像メモリ２５５に格納するまで一時的に画像データを保持したり、画像メモリ２５５から取り出して、ネットワーク回線へのＩ／Ｆとなる外部Ｉ／Ｆ２５８に転送するときにも使用される。
【００３４】
操作部２５４は、画像読み取りおよび画像形成に関する設定やシステム内の様々な設定に関するユーザ指示を受け付ける。画像メモリ２５５は、外部Ｉ／Ｆ２５８や原稿読取部通信部２５７が受信した画像データを格納するものであり、ＨＤＤ等の大容量メモリが使用される。画像形成部２５６は、画像データに基づく画像を記録紙に印刷する。
【００３５】
［排紙ＬＥＤの点灯制御］
図３はＡＤＦ２０を上げた状態の画像読取システムの概観図である。図４は、ＡＤＦが下がった状態にける上からの画像読取システムの概観図である。
【００３６】
図３に示されるように、排紙ＬＥＤ９は原稿トレイ１０の裏側の手前の位置に配置されている。図４のように、ＡＤＦ２０が下がった状態では、排紙トレイ１５は原稿トレイ１０の下に隠れてしまい、ユーザは原稿トレイに残っていること原稿に気づきにくい。そこで、排紙トレイ１５の中に原稿が残っている場合に、排紙トレイ１５の手前側を照らすことにより、排紙トレイ１５の中に原稿が残っていることをユーザに通知する。
【００３７】
しかしながら、ＡＤＦ２０を上げた状態で排紙ＬＥＤ９を点灯したままだと、図５のように点灯している排紙ＬＥＤ９の照射光がユーザーの視線に直接入ってしまう。そこで、本実施形態では、ユーザがまぶしくならないようにするために、ＡＤＦ２０を上げた場合は、排紙ＬＥＤを点灯させないようにする。
【００３８】
原稿が排紙トレイに排出されるモードである、ＡＤＦを用いた原稿を読み取る流し読みモードにおける排紙ＬＥＤの点灯制御について図６のフローを用いて説明する。
【００３９】
画像読み取りシステムを用いて原稿の画像を読み込む場合、ユーザーは、まず、原稿トレイガイド１１の位置を原稿のサイズに合わせて移動させてから原稿トレイ１０に原稿を載置する。そして、ユーザは、操作部２５４を用いて、原稿読み込み条件の設定をし、原稿読み込みジョブの開始を指示する。
【００４０】
コントローラＣＰＵ２５１は操作部２５４において原稿読み込みジョブの開始要求を受けると、読み取り用ＣＰＵ２０１に原稿読み込み開始の指示を出す。読み取りＣＰＵ２０１は、コントローラＣＰＵ２５１から原稿読み取り通信部２５７及びコントローラ通信部２０８を介して原稿読み込み開始の指示を受信する（Ｓ６０１）。
【００４１】
読み取りＣＰＵ２０１は、原稿読み込み開始の指示に応じて、ＡＤＦ開閉検知センサ３０１の検知結果を参照し、ＡＤＦ２０が上がっているか否かを判定する（Ｓ６０２）。読み取りＣＰＵ２０１がＡＤＦ２０が上がっていると判定した場合は、コントローラＣＰＵ２５１に原稿読み込み動作が不可能であることを通知し、原稿読み込みジョブを終了する（Ｓ６０３）。
【００４２】
一方、読み取り用ＣＰＵ２０１がＡＤＦ２０が下がっていると判定した場合は、以下の処理を行う（Ｓ６０２−Ｎｏ）。スキャナユニット駆動部２０５が表面スキャナユニット１０６をスキャナ基準白色板１０７直下の位置まで移動させる。画像読み込み部２０６および画像処理部２０７がシェーディングを実施する。シェーディング終了後に、スキャナユニット駆動部２０５が、表面スキャナユニット１０６を原稿流し読みガラス１０１の直下に移動させる（Ｓ６０４）。その後、原稿搬送部２０４が原稿トレイ１０上に積載された原稿を搬送する。そして、原稿先端を検知したタイミングからの駆動クロック数が原稿流し読みガラス１０１の原稿読み取り位置に対応した所定値に達したタイミングで画像読み込み部２０６が原稿の画像の読み込みを開始する（Ｓ６０５）。
【００４３】
ここで、読み取り用ＣＰＵ２０１は、読み取り用排紙ＬＥＤが点灯しているか否かを判定する（Ｓ６０６）。排紙ＬＥＤが点灯していないと判定された場合は（Ｓ６０６−Ｎｏ）、読み取り用ＣＰＵ２０１は、排紙原稿検知センサ１６の検知結果を参照し、排紙トレイ１５に原稿が有るか否かを判定する（Ｓ６０７）。そして、Ｓ６０７において原稿が有ると判定された場合は、排紙ＬＥＤ９を点灯させる（Ｓ６０８）。
【００４４】
一方、Ｓ６０６において排紙ＬＥＤが点灯していると判定された場合は（Ｓ６０６−Ｙｅｓ）、原稿の搬送が継続している限り、再び排紙原稿検知センサ１６が原稿有りを検知するはずである為、排紙原稿検知センサ１６の検知結果を参照せずに排紙ＬＥＤ９を点灯させつづける。また、Ｓ６０７において原稿が無いと判定された場合は、まだ、排紙トレイ１５に原稿が排出されていないタイミングであるので、排紙ＬＥＤ９を点灯させない。
【００４５】
Ｓ６０５〜Ｓ６０８の処理を、原稿トレイ１０の原稿のすべての読み込み及び排紙トレイ１５への排出がおわるまで繰り返す（Ｓ６０９）。
【００４６】
原稿トレイ１０上の原稿が全て読み込み及び排紙トレイ１５への排出が完了した時点（Ｓ６０９−Ｙｅｓ）で、スキャナユニット内のＬＥＤとイメージセンサをＯＦＦする。そして、原稿搬送部２０４が表面スキャナユニット１０６を原稿流し読みガラス１０１の直下の位置から基準白色板１０７直下近辺のＯＦＦ待機位置に移動させる（Ｓ６１０）。
【００４７】
読み取り用ＣＰＵ２０１は、排紙原稿検知センサ１６とＡＤＦ開閉検知センサ３０１の検知結果を参照する（Ｓ６１１、Ｓ６１２）。
【００４８】
Ｓ６１１において、読み取り用ＣＰＵ２０１が排紙原稿検知センサ１６の検知結果に基づき排紙トレイ１５に原稿が無いと判定した場合は（Ｓ６１１−Ｎｏ）、排紙ＬＥＤ９を消灯する（Ｓ６１３）。このようにすることにより、排紙トレイ１５から原稿がとりのぞかれたことに応じて排紙ＬＥＤ９を消灯することができる。
【００４９】
また、Ｓ６１２において、読み取り用ＣＰＵ２０１がＡＤＦ開閉検知センサ３０１の検知結果からＡＤＦ２０が上がっていると判定した場合は（Ｓ６１２−Ｙｅｓ）、排紙ＬＥＤ９を消灯する（Ｓ６１３）。このようにすることにより、図５に示すように排紙ＬＥＤ９の照射光がユーザーの視線に直接入ってしまうことを防ぐことができる。排紙ＬＥＤ９を消灯した後は、次の原稿読み込み開始の指示が来るのを待機する（Ｓ６０１）。Ｓ６１２−Ｙｅｓの場合に排紙ＬＥＤ９を消灯し、ＡＤＦが閉じられても再点灯しない理由は、原稿トレイ１０の原稿のすべての読み込み及び排紙トレイ１５への排出が終了したのちにＡＤＦ２０を開けた場合、原稿固定読みモードによって原稿読み込みを開始する可能性が高いからである。
【００５０】
一方、読み取り用ＣＰＵ２０１が、Ｓ６１１において排紙トレイに原稿が有ると判定した場合およびＳ６１２においてＡＤＦ２０が上がっていると判定した場合は、排紙ＬＥＤ９を点灯しつづけ、ユーザに排紙トレイ１５に原稿が有ることを通知しつづける。そして、次の原稿読み込み開始の指示を受けたか否かを判定する（Ｓ６１４）。
【００５１】
次の原稿読み込み開始の指示を受けていない場合は（Ｓ６１４−Ｎｏ）、Ｓ６１１およびＳ６１２の処理を繰り返す。つまり、原稿を排紙トレイ１５から取り除かれるか、それともＡＤＦ２０が開けられるかするまで、排紙ＬＥＤ９を点灯しつづけユーザに排紙トレイ１５に原稿が有ることを通知しつづける。
【００５２】
一方、原稿が排紙トレイ１５に残ったまま、次の原稿読み込み開始の指示を受けた場合（Ｓ６１４−Ｙｅｓ）は排紙ＬＥＤ９が点灯したまま、次の原稿読み込みジョブを開始する。この場合、Ｓ６１２の判断によりＡＤＦは上がっていないことが確定している為、表面スキャナユニット１０６の起動から開始する（Ｓ６０４）。
【００５３】
（第二の実施形態）
上述の第一の実施形態では、ＡＤＦの開閉状態を元に排紙ＬＥＤ９の点灯／消灯制御を切り替えているが、排紙ＬＥＤ９の位置によっては他の情報も併用して点灯／消灯制御を行っても良い。
【００５４】
図７は第二の実施形態における画像読み取りシステムにおけるＡＤＦ２０及びリーダ１００を模式的に示す断面図である。第二の実施形態における画像読み取りシステムの構成において第一の実施形態の画像読み取りシステムと同一の構成については同一の符号をつけ説明を割愛する。第二の実施形態における画像読み取りシステムにおいて、第一の実施携帯の画像読み取りシステムと異なる構成は、以下の３点である。紙トレイ１５に積載された原稿を取りやすくする為、原稿トレイ１０が回転軸１２を中心点として上に上げることが可能になっている。排紙ＬＥＤ９の位置が可動可能な原稿トレイ１０の裏面に配置されている。原稿トレイ１０が上がっているか検知する為の原稿トレイ開閉検知センサ１３を備えている。原稿トレイ１０の裏面に排紙ＬＥＤ９を設けることで、給紙ローラ１と排紙ローラ７に至る搬送パスが短い構成においても、排紙トレイ１５の手前を照らすのに適した位置に排紙ＬＥＤ９を配置することができる。
【００５５】
図８は原稿トレイ１０を上に上げた状態の図である。原稿トレイ１０が上がっている為、排紙トレイ１５上の原稿はユーザーの視界に十分入ってくる。それと同時に、排紙トレイ１を照らすべき排紙ＬＥＤ９が装置の右側を向いており、このままだとユーザーの立ち位置によっては排紙ＬＥＤ９からの照射光がユーザーの眼に直接入ってくる可能性がある。
【００５６】
そこで、第二の実施形態では、ＡＤＦ開閉検知センサ３０１に加えて原稿トレイ開閉検知センサ１３を用いて排紙ＬＥＤの点灯制御を行う。ＡＤＦを用いた原稿を読み取る流し読みモードにおける排紙ＬＥＤの点灯制御に関する第二の実施形態の処理フローについて、図９を用いて説明する。図９の処理フローにおいて、図６の処理フローと同一の処理については同一の番号をつけ、説明を割愛する。
【００５７】
読み取り用ＣＰＵ２０１は原稿読み取り開始の指示に応じて、ＡＤＦ開閉検知センサ３０１の検知結果に加えて原稿トレイ開閉検知センサ１３の検知結果を参照（Ｓ９２０）する。そして、ＡＤＦ２０が開いている場合（Ｓ６０２−Ｙｅｓ）および原稿トレイ１０が上がっている場合（Ｓ９２０−Ｙｅｓ）は、コントローラＣＰＵ２５１に原稿読み込み動作が不可能であることを通知し、原稿読み込みジョブを終了する（Ｓ６０３）。
【００５８】
原稿トレイ１０上の原稿が全て読み込み及び排紙トレイ１５への排出が完了し（Ｓ６１０−Ｙｅｓ）、排紙トレイ１５に原稿が有ると判定され（Ｓ６１１−Ｙｅｓ）、ＡＤＦ２０が閉じている判定された場合（Ｓ６１２−Ｎｏ）、原稿トレイ開閉検知センサ１３の検知結果を参照して読み取り用ＣＰＵ２０１が原稿トレイ１０が上がっているか否かを判定する（Ｓ９２２）。
【００５９】
原稿トレイ１０が上がっていないと判定された場合（Ｓ９２２−Ｎｏ）、排紙トレイ１５に排出された原稿が有ることをユーザに通知するために、排紙ＬＥＤ９の光量を通常の量にする。
【００６０】
読み取り用ＣＰＵ２０１が排紙ＬＥＤ制御部２０９の排紙ＬＥＤ制御状態情報を参照することにより排紙ＬＥＤ９の光量が減っているか否かを判定する（Ｓ９２３）。排紙ＬＥＤ光量が減っていた場合は（Ｓ９２３−Ｙｅｓ）、排紙ＬＥＤ９の光量を通常の量に戻すように、読み取り用ＣＰＵ２０１が排紙ＬＥＤ制御部２０９に対して指示する（Ｓ９２４）。排紙ＬＥＤ光量が減っていなかった場合は（Ｓ９２３−Ｎｏ）、光量を調整せずに処理を進める。
【００６１】
一方、ＡＤＦ２０が開いていると判定された場合（Ｓ６１２−Ｙｅｓ）および稿トレイ１０が上がっていると判定された場合（Ｓ９２２−Ｙｅｓ）は、排紙ＬＥＤ９からの照射光がユーザーの眼に直接入る量を減らすために、排紙ＬＥＤ９の光量を減らす（Ｓ９２５、Ｓ９２６）。そして、原稿読み込み開始の指示がない場合はＳ６１１の処理にもどる。本実施形態では、光量を減らしすぎて、排紙ＬＥＤ９が点灯していることをユーザが気付かなくなることを防ぐために、すでに光量が減っている場合はそれ以上に光量を減らさないようにしている。
【００６２】
Ｓ６１１において、原稿読み込み開始の指示を受けた場合は、ＡＤＦ２０が開いているか、もしくは原稿トレイ１０が上がっているので、コントローラＣＰＵ２５１に原稿読み込み動作が不可能であることを通知する（Ｓ９２８）。
【００６３】
本実施形態では、ＡＤＦ２０が開いている場合および原稿トレイが上がっている場合には、排紙ＬＥＤ９の光量を減らす。これにより、ユーザがまぶしくなることを防ぎつつ、排紙トレイ１５に原稿があることをユーザに通知しつづけることができる。
【００６４】
なお、上記第一および第二の実施形態におけるＡＤＦ開閉検知センサ３０１および原稿トレイ開閉検知センサ１３はジャイロを用いてもかまわない。また、上記第一および第二の実施形態においてＬＥＤのかわりに他の照明を用いてもかまわない。また、第一の実施形態ではＡＤＦが開いた場合にはＬＥＤを消灯したが、第二の実施形態で説明したように光量を減らすようにしてもかまわない。
【符号の説明】
【００６５】
１  給紙ローラ
２  分離ローラ
３  分離後ローラ
４  原稿読み取り前ローラ
５  原稿読み取りローラ
６  原稿読み取り後ローラ
７  排紙ローラ
８  分離パッド
９  排紙照明ＬＥＤ
１０  原稿トレイ
１１  原稿トレイガイド
１２  原稿トレイ回転軸
１３  原稿トレイ開閉検知センサ
１４  リードセンサ
１５  排紙トレイ
１６  排紙原稿検知センサ
１７  裏面スキャナユニット
２０  ＡＤＦ
１００  リーダ
１０１  原稿流し読みガラス
１０２  原稿固定読みガラス
１０３  ＬＥＤ
１０４  レンズ群
１０５  イメージセンサ
１０６  表面スキャナユニット
１０７  基準白色板
【図１】
2013106109.tif 000003
【図２】
2013106109.tif 000004
【図３】
2013106109.tif 000005
【図４】
2013106109.tif 000006
【図５】
2013106109.tif 000007
【図６】
2013106109.tif 000008
【図７】
2013106109.tif 000009
【図８】
2013106109.tif 000010
【図９】
2013106109.tif 000011